(57)【特許請求の範囲】
【請求項１】
電子部品装着機が電子部品を装着するときの動作条件を記述するパートデータの内容を表示する装置であって、前記パートデータは、電子部品装着機において選択的に使用されるオプション機能であって、その機能を有する電子部品装着機と有しない電子部品装着機とが存在するオプション機能毎にその使用の要否を記述する要否情報を含み、
前記電子部品装着機が一つの生産品目に対して使用する全ての前記パートデータからオプション機能についての前記要否情報をそれぞれ抽出する抽出処理部と、
前記抽出処理部が前記全てのパートデータからそれぞれ抽出した前記要否情報が必要と記述する全てのオプション機能を同時かつ可視的に表示する表示部と、
を備える装置。
【請求項２】
前記表示部は、前記要否情報が必要と記述する複数のオプション機能を、他のオプション機能の要否にかかわらず、それぞれ所定の位置に表示する、請求項１に記載の装置。
【請求項３】
前記表示部は、前記要否情報において必要と記述されたオプション機能を、アイコンを用いて表示する、請求項１又は２に記載の装置。
【請求項４】
前記表示部は、表示するオプション機能に応じて、アイコンのサイズ、形状、色彩、動作の少なくとも一つを変更する、請求項３に記載の装置。
【請求項５】
前記表示部は、作業者がアイコンを選択する操作をしたときに、そのアイコンに対応するオプション機能に関するパラメータの設定画面を表示する、請求項３又は４に記載の装置。
【発明の詳細な説明】
【技術分野】
【０００１】
本明細書は、回路基板に電子部品を装着する技術に関し、特に、電子部品装着機が用いるデータの内容を表示する技術に関する。
【背景技術】
【０００２】
回路基板に電子部品を装着する電子部品装着機が知られている。電子部品装着機の動作は、予め用意された生産プログラム及びパートデータに基づいて制御される。生産プログラムは、主に、回路基板に装着すべき複数の電子部品と、各々の電子部品を装着すべき回路基板上の位置とを記述する。通常、生産プログラムは、生産品目（電子部品を装着する回路基板の種類）毎に用意される。電子部品装着機は、生産プログラムに基づいて動作することによって、生産プログラムに記述された各々の電子部品を、回路基板上の対応する装着位置に装着する。
【０００３】
一方、パートデータは、通常、電子部品の種類毎に用意される。パートデータには、電子部品装着機が電子部品を装着するときの動作条件が記述されている。例えば、パートデータには、電子部品の供給形態、装着ヘッドの移動速度、画像認識用の撮影態様及び照合用データが記述されている。電子部品装着機は、生産プログラムに記述された各々の電子部品を装着する際に、その電子部品に対応するパートデータを参照し、パートデータに記述された動作条件で動作する。それにより、電子部品装着機の動作は、装着する電子部品に応じて適宜変更される。生産プログラムやパートデータといった、電子部品装着機が用いるデータの例が、特開平１１−２０３３３８号公報に記載されている。
【発明の概要】
【発明が解決しようとする課題】
【０００４】
近年、電子部品装着機の多機能化が進み、複数のオプション機能を有する電子部品装着機が広く使用されている。電子部品装着機のオプション機能とは、必要に応じて選択的に使用される機能であり、例えば、コプラナリティのチェックや、フラックスのディッピングが挙げられる。そのため、電子部品装着機に動作条件を教示するデータ（例えば生産プログラムやパートデータ）においても、オプション機能毎にその使用の要否を記述する情報（以下、要否情報という）が付与されている。
【０００５】
複数の電子部品装着機を有する生産現場では、オプション機能を有する電子部品装着機と、複数のオプション機能を有さない電子部品装着機とが混在することがある。このような生産現場では、作業者が、複数の生産ロットを複数の電子部品装着機に割り当てるときに、各々の生産ロットについて、オプション機能の要否を確認する必要がある。即ち、オプション機能を必要とする生産ロットについては、当該オプション機能を有する電子部品装着機に割り当てる必要があり、当該オプション機能を必要としない生産ロットについては、オプション機能を有さない生産ライン（電子部品装着機）へ優先的に割り当てる必要がある。
【０００６】
各々の生産ロットがいかなるオプション機能を必要とするかについては、当該生産ロットのために電子部品装着機が使用するデータ（生産プログラムやパートデータ）の要否情報を参照することによって、確認することができる。しかしながら、電子部品装着機が使用するデータには、複数のオプション機能についての要否情報が記述されている。そして、従来の技術では、複数のオプション機能についての要否情報を効率的に表示することができず、全てのオプション機能についての要否情報を一つずつ確認する作業は、作業者にとって面倒なものとなっていた。あるいは、電子部品装着機が一つの生産品目について複数のデータを使用する場合、各々のデータに記述された要否情報を一つずつ確認することなく、まとめて把握し得ることが好ましい。
【０００７】
上記した実情を考慮して、本明細書は、電子部品装着機が一つの生産品目について使用する複数のデータにそれぞれ記述されたオプション機能についての要否情報を作業者が容易に確認するための技術を開示する。
【課題を解決するための手段】
【０００８】
本明細書は、電子部品装着機が使用するデータの内容を表示する装置を開示する。ここでいうデータは、複数のオプション機能についての要否情報を含むデータを広く意味し、特定のデータに限定されない。また、オプション機能とは、電子部品装着機が有する機能のなかで、選択的に使用される機能であり、要否情報とは、オプション機能毎にその使用の要否を記述する情報である。
【０００９】
本明細書で開示される装置は、抽出処理部と表示部とを備えている。抽出処理部は、電子部品装着機が一つの生産品目に対して使用する全てのパートデータから、前記したオプション機能についての要否情報をそれぞれ抽出することができる。表示部は、抽出処理部が全てのパートデータからそれぞれ抽出した要否情報が必要と記述する全てのオプション機能を、同時かつ可視的に表示することができる。この表示装置によると、作業者は、例えば一つの生産品目を生産する生産ロットをいずれかの電子部品装着機に割り当てるときに、その生産ロットのために電子部品装着機が使用する複数のデータから、電子部品装着機に必要とされるオプション機能を、容易に確認することができる。
【００１０】
ここで、表示部が複数のオプション機能についての要否情報を表示する態様は、特に限定されない。例えば、表示部は、複数のオプション機能についての要否情報を同時に表示してもよい。あるいは、表示部は、複数のオプション機能についての要否情報を、一つずつ順に表示してもよい。典型的には、表示部は、作業者による多くの操作を必要とすることなく、複数のオプション機能についての要否情報を表示することが好ましい。
【図面の簡単な説明】
【００１１】
【図１】電子部品装着システムの構成を示す図。
【図２】電子部品装着機が用いるデータの一例である生産プログラムの内容を示す図。
【図３】電子部品装着機が用いるデータの一例であるパートデータの内容を示す図。
【図４】データ管理装置の構成を示すブロック図。
【図５】データ管理装置による表示画面の一例を示す図。
【図６】データ管理装置による設定画面の一例を示す図。
【図７】データ管理装置による表示画面の他の一例を示す図。
【図８】データ管理装置による設定画面の他の一例を示す図。
【発明を実施するための形態】
【００１２】
本技術の一実施形態において、電子部品装着機が用いるデータであって、表示装置がその内容を表示するデータは、例えば、ジョブデータ、生産プログラム、パートデータとすることができる。ここで、ジョブデータは、主に、生産品目と生産数量を記述するものであり、例えば生産ロット毎に用意することができる。生産プログラムは、前述したように、回路基板に装着すべき複数の電子部品と、各々の電子部品を装着すべき回路基板上の位置とを記述するデータであり、例えば生産品目毎に用意することができる。パートデータは、前述したように、電子部品装着機が電子部品を装着するときの動作条件を記述するデータであり、例えば電子部品の種類毎に用意される。
【００１３】
本技術の一実施形態において、表示部は、要否情報が必要と記述する複数のオプション機能を表示することが好ましい。この場合、表示部は、要否情報が不要と記述する一又は複数のオプション機能を、必ずしも表示する必要はない。即ち、表示部は、要否情報が必要と記述する複数のオプション機能のみを表示してもよい。このような構成であると、作業者は、必要とされるオプション機能を特定しやすい。
【００１４】
本技術の一実施形態において、表示部は、要否情報が必要と記述する複数のオプション機能を、同時に表示することが好ましい。このような構成によると、作業者は、表示部による表示画面をスクロールさせたり、切り替えたりすることなく、複数のオプション機能についての要否情報を確認することができる。
【００１５】
本技術の一実施形態において、表示部は、要否情報が必要と記述する全てのオプション機能を、同時に表示することが好ましい。このような構成によると、作業者は、表示部による表示画面をスクロールさせたり、切り替えたりすることなく、必要とされる全てのオプション機能を特定することができる。ただし、他の一実施形態として、表示部は、要否情報が必要と記述する複数のオプション機能の一部のみを同時に表示するものであってもよい。
【００１６】
本技術の一実施形態において、表示部は、要否情報が必要と記述する複数のオプション機能を、他のオプション機能の要否にかかわらず、それぞれ所定の位置に表示することが好ましい。このような構成によると、作業者は、表示部が表示したオプション機能の位置に基づいて、必要とされる複数のオプション機能を容易に把握することができる。
【００１７】
本技術の一実施形態において、表示部は、要否情報が必要と記述する複数のオプション機能を、アイコンを用いて表示することが好ましい。このような構成によると、作業者は、必要とされる複数のオプション機能を容易に把握することができる。加えて、表示部は、要否情報が不要と記述する複数のオプション機能についても、アイコンを用いて表示してもよい。但し、他の実施形態として、表示部は、要否情報が必要と記述する複数のオプション機能と、要否情報が不要と記述する複数のオプション機能との少なくとも一方を、アイコンを用いることなく、リスト形式で表示してもよい。
【００１８】
本技術の一実施形態において、表示部は、表示するオプション機能に応じて、アイコンのサイズ、形状、色彩、動作の少なくとも一つを変更することが好ましい。この場合、例えば、強調して表示すべきオプション機能には、大きなアイコン、特異な形状のアイコン、目立つ色彩のアイコン、点滅するアイコン、サイズや色彩が変化するアイコン等を使用するとよい。例えば、使用頻度が少ないオプション機能については、強調表示すべきオプション機能であるとして、サイズ、形状、色彩、動作の少なくとも一つが特有のアイコンを使用するとよい。
【００１９】
本技術の一実施形態において、表示部は、作業者がアイコンを選択する操作をしたときに、そのアイコンが表示するオプション機能に関するパラメータの設定画面を表示することが好ましい。このような構成によると、作業者は、オプション機能の要否だけでなく、当該オプション機能に関するパラメータをさらに確認したり、当該パラメータの設定や編集を行うことができる。
【００２０】
本技術の一実施形態において、抽出処理部は、二以上のデータから要否情報を抽出することが好ましい。この場合、表示部は、抽出処理部が一のデータから抽出した要否情報と、抽出処理部が他の一のデータから抽出した要否情報とを、同時に表示することが好ましい。このような構成によると、一つの生産ロットの生産において複数のデータが使用される場合でも、作業者は、当該生産ロットの生産で必要とされる複数のオプション機能を、まとめて把握することができる。
【００２１】
本技術の一実施形態において、前記したデータは、電子部品の種類毎に、電子部品装着機に動作条件を教示するパートデータを含むことが好ましい。この場合、前記した要否情報は、パートデータに含まれることが好ましい。電子部品装着機が有するオプション機能の多くは、生産品目にかかわらず、装着すべき電子部品に応じて選択的に使用される。そのことから、オプション機能についての要否情報がパートデータに付与されていると、生産品目にかかわらず、パートデータを汎用することができる。
【００２２】
本技術の一実施形態において、表示部は、パートデータに記述された要否情報を可視的に表示するときに、当該パートデータが動作条件を記述する電子部品の形状を示す図形を同時に表示することが好ましい。このような構成によると、作業者は、電子部品の形状を示す図形から、当該電子部品が必要とするオプション機能を推認することもでき、必要とされるオプション機能を見誤ることなく把握することができる。
【実施例】
【００２３】
図面を参照して実施例の電子部品装着システムについて説明する。図1に示すように、実施例の電子部品装着システムは、データ管理装置１０と、データサーバ１００と、複数の電子部品装着機２００を備える。データ管理装置１０とデータサーバ１００と複数の電子部品装着機２００は、電気通信回線３００を介して互いに通信可能に接続されている。
【００２４】
電子部品装着機２００は、回路基板に電子部品を装着する装置である。電子部品装着機２００の動作は、データサーバ１００に記憶された各種のデータ（例えば、生産プログラム１０２やパートデータ１０４）に基づいて制御される。電子部品装着機２００は、電子部品を供給する複数のフィーダ（図示省略）と、フィーダが供給する電子部品を回路基板へ搬送して装着する装着ヘッド（図示省略）とを備える。電子部品装着機２００は、一又は複数の装着ヘッドを備えることができる。また、電子部品装着機２００は、各々が少なくとも一つの装着ヘッドを有する複数の装着装置を、一連に接続して構成することもできる。さらに、電子部品装着機２００は、回路基板にはんだを印刷するはんだ印刷機や、回路基板を光学的に検査する検査装置や、リフロー炉を含んで構成されてもよい。
【００２５】
データサーバ１００は、電子部品装着機２００が用いる各種のデータを記憶する装置である。例えば、データサーバ１００には、複数の生産プログラム１０２と、複数のパートデータ１０４が記憶されている。生産プログラム１０２及びパートデータ１０４は、電気通信回線３００を通じて電子部品装着機２００に教示される。
【００２６】
図２に、生産プログラム１０２の一例を示す。図２に示すように、生産プログラム１０２は、生産品目（例えばＣＢ００１）毎に用意され、回路基板に装着すべき複数の電子部品（Ｂ欄）を、装着順序（Ａ欄）、そのフィーダの位置（Ｃ欄）、回路基板上の装着位置（Ｄ欄）及びその他の情報とともに記述する電子データである。電子部品装着機２００は、生産プログラム１０２に基づいて動作することによって、生産プログラム１０２に記述された複数の電子部品を、回路基板上に定められたそれぞれの装着位置に装着する。
【００２７】
図３に、パートデータ１０４の一例を示す。パートデータ１０４は、電子部品の種類（Ｐ００１、Ｐ００２、・・・・）毎に用意され、電子部品に対応した電子部品装着機２００の動作条件を記述するデータである。電子部品装着機２００は、回路基板へ装着する電子部品毎に、当該電子部品のパートデータ１０４を参照して、パートデータ１０４に記述された動作条件で動作する。即ち、電子部品装着機２００は、装着する電子部品毎にその動作を変更する。
【００２８】
一例ではあるが、パートデータ１０４は、外形データ１０６、装着条件データ１０８及び部品識別データ１１０を含んでいる。外形データ１０６は、電子部品の外形に関する情報を記述するデータであり、電子部品の各寸法や図面データを含んでいる。装着条件データ１０８は、電子部品の装着に係る動作条件を記述するデータであり、例えば、使用ノズル、ノズルでの吸着条件、ノズルの移動速度などを含んでいる。部品識別データ１１０は、電子部品の識別に係る動作条件を記述するデータであり、カメラによる電子部品の撮影方向、そのときの照明方向、及びパターンマッチングデータなどを含んでいる。
【００２９】
図３に示すように、パートデータ１０４は、オプション要否情報１１２をさらに含んでいる。オプション要否情報１１２は、装着条件データ１０８の一部や、部品識別データ１１０の一部として記述されている。オプション要否情報１１２は、電子部品装着機２００のオプション機能（オプション機能Ａ、Ｂ、・・・・）毎に、その使用の要否（即ち、「必要」、「不要」）を記述する。
【００３０】
電子部品装着機２００のオプション機能とは、電子部品装着機２００が有する様々な機能のなかで、選択的に使用される機能を意味する。例えば、オプション機能には、コプラナリティのチェックや、フラックスのディッピングが含まれる。これらのオプション機能は、一部の電子部品や回路基板において必要とされるが、一部の電子部品や回路基板においては必要とされない。例えば、図３に示すように、一例である電子部品「Ｐ００１」は、三つのオプション機能Ａ、Ｃ及びＥを必要とし、三つのオプション機能Ｂ、Ｄ及びＦについては必要としない。従って、電子部品「Ｐ００１」を使用する生産品目は、三つのオプション機能Ａ、Ｃ及びＥを有する電子部品装着機２００において生産する必要がある。
【００３１】
複数の電子部品装着機２００は、必ずしも同一のオプション機能を有していない。即ち、一部の電子部品装着機２００のみが有し、他の一部の電子部品装着機２００が有さないオプション機能もいくつか存在する。従って、作業者は、ある生産品目を電子部品装着機２００のいずれかに割り当てるときに、当該生産品目が必要とするオプション機能を確認し、必要とされるオプション機能を有する電子部品装着機２００に、当該生産品目を割り当てる必要がある。
【００３２】
次に、データ管理装置１０について説明する。データ管理装置１０は、データサーバ１００に記憶された各種のデータ（例えば、生産プログラム１０２やパートデータ１０４）を操作するための装置である。例えば、データ管理装置１０は、データサーバ１００に記憶された各種のデータを読み出し、作業者へ可視的に内容を表示することができる。また、データ管理装置１０は、作業者の指示に基づいて、データサーバ１００に記憶された各種のデータを編集することができる。
【００３３】
図１に示すように、データ管理装置１０は、電子計算機１２とディスプレイ１４とマウス１６とキーボード１８を備える。ディスプレイ１４とマウス１６とキーボード１８は、電子計算機１２に接続されている。データ管理装置１０は、データサーバ１００に記憶されたデータの内容を、ディスプレイ１４に表示することができる。また、データ管理装置１０は、作業者の指示に基づいて、データサーバ１００に記憶されたデータを複製したり編集したりすることができる。マウス１６とキーボード１８はユーザインターフェースであり、作業者は、マウス１６とキーボード１８を用いて、電子計算機１２に対する各種の指示を行うことができる。
【００３４】
図４は、データ管理装置１０の構成を示すブロック図である。図４に示すように、電子計算機１２は、通信インターフェース２０とデータ処理部３０とメモリ４０を備える。通信インターフェース２０は、データサーバ１００と通信可能に接続し、生産プログラム１０２やパートデータ１０４といった、電子部品装着機２００が用いる各種のデータを取得する。データ処理部３０は、データサーバ１００から取得したデータに対して、各種の処理を実行する。メモリ４０は、データサーバ１００から取得したデータや、データ処理部３０が作成したデータを記憶する。
【００３５】
データ処理部３０は、主に、編集処理部３２と、抽出処理部３４と、表示処理部３６を備える。編集処理部３２は、電子部品装着機２００が用いる各種のデータ（例えば生産プログラム１０２やパートデータ１０４）を、作業者の指示に基づいて編集することができる。抽出処理部３４は、電子部品装着機２００が用いる各種のデータから、複数のオプション機能についてのオプション要否情報１１２を抽出することができる。そして、表示処理部３６は、抽出処理部３４が抽出したオプション要否情報１１２を、ディスプレイ１４において可視的に表示することができる。
【００３６】
図５は、データ管理装置１０がディスプレイ１４に表示する表示画面５０の一例を示す。なお。図５に示す表示画面５０は、パートデータ１０４を表示するときの初期画面の一例である。図５に示すように、ディスプレイ１４の表示画面５０（ここではパートデータ１０４の初期画面）には、電子部品の基本情報に加えて、抽出処理部３４が抽出したオプション要否情報１１２が、ディスプレイ１４に併せて表示される。それにより、作業者は、パートデータ１０４に記述されたオプション要否情報１１２の設定状態を、簡単に確認することができる。
【００３７】
図５に示すように、本実施例のデータ管理装置１０は、オプション要否情報１１２が必要と記述する複数のオプション機能（ここではオプション機能Ａ、Ｃ、Ｅであり、以下では必要オプション機能と称する）を、第１のアイコン５４で表示し、オプション要否情報１１２が不要と記述するオプション機能（ここではオプション機能Ｂ、Ｄ、Ｆであり、以下では不要オプション機能と称する）を、第２のアイコン５６で表示する。ここで、第１のアイコン５４と第２のアイコン５６は、異なる色彩を有しており、作業者は容易に区別することができる。なお、第１のアイコン５４と第２のアイコン５６は、互いに区別可能な形態であればよく、例えばサイズ、形状、色彩、動作（例えば点滅）のうちの少なくとも一つが異なるものであればよい。
【００３８】
本実施例のデータ管理装置１０では、表示処理部３６（及びディスプレイ１４）が、必要オプション機能と不要オプション機能との両者を、同時に表示することができる。このような構成によると、作業者は、表示画面５０をスクロールさせたり、切り替えたりすることなく、必要とされるオプション機能を特定することができる。ただし、他の実施形態において、表示処理部３６（及びディスプレイ１４）は、不要オプション機能を表示しないで、必要オプション機能のみを表示してもよい。
【００３９】
図５に示すように、本実施例のデータ管理装置１０では、表示処理部３６（及びディスプレイ１４）が、複数の必要オプション機能を、他のオプション機能の要否にかかわらず、それぞれ所定の位置に表示することができる。このような構成によると、作業者は、表示画面５０に表示された位置に基づいて、必要オプション機能を容易に確認することができる。
【００４０】
本実施例のデータ管理装置１０では、図５に示す表示画面５０において、作業者がアイコン５４、５６を選択する操作を行うことができる。この場合、表示処理部３６（及びディスプレイ１４）は、図６に示すように、選択されたアイコン５４、５６が要否を表示するオプション機能の設定画面６０を表示することができる。この設定画面６０では、作業者が、オプション機能の要否の選択や、オプション機能に関する各種のパラメータを設定することができる。このような構成により、作業者は、オプション機能の要否だけでなく、当該オプション機能に関するパラメータをさらに確認したり、当該パラメータの設定や編集を行うことができる。ここで、図６に示す設定画面６０では、オプション機能毎にタブ６２が表示されており、作業者がいずれか一つのタブ６２を選択すると、選択されたタブ６２に対応するオプション機能の設定画面６０がディスプレイ１４に表示される。
【００４１】
図５に示すように、本実施例のデータ管理装置１０では、表示処理部３６（及びディスプレイ１４）が、オプション要否情報１１２を可視的に表示するときに、パートデータ１０４が動作条件を記述する電子部品の形状を示す図形５８を同時に表示することができる。このような構成によると、作業者は、電子部品の形状を示す図形５８から、当該電子部品が必要とするオプション機能を推認することができ、必要とされるオプション機能を見誤ることなく把握することができる。
【００４２】
本実施例のデータ管理装置１０では、抽出処理部３４が、二以上のパートデータ１０４からオプション要否情報１１２を抽出することができる。この場合、表示処理部３６（及びディスプレイ１４）は、抽出処理部３４が一のパートデータ１０４から抽出したオプション要否情報１１２と、抽出処理部３４が他の一のパートデータ１０４から抽出したオプション要否情報１１２とを、同時に表示することができる。このような構成によると、作業者は、一つの生産品目で使用される複数の電子部品について、必要とされる複数のオプション機能をまとめて把握することができる。
【００４３】
図７は、表示処理部３６（及びディスプレイ１４）によるオプション要否情報１１２の他の表示例を示す。図７に示す表示画面５０では、一部のオプション機能については比較的に小型のアイコン７４で表示され、一部のオプション機能については比較的に大型のアイコン７６で表示されている。このように、表示処理部３６（及びディスプレイ１４）は、表示するオプション機能に応じて、アイコン７４、７６のサイズを変更することが好ましい。あるいは、表示処理部３６（及びディスプレイ１４）は、アイコン７４、７６のサイズに限られず、表示するオプション機能に応じて、アイコン７４、７６の形状、色彩、動作（例えば点滅）の少なくとも一つを変更してもよい。この場合、例えば使用頻度が少ないオプション機能については、強調表示すべきオプション機能であるとして、サイズ、形状、色彩、動作の少なくとも一つが特有のアイコンを使用するとよい。
【００４４】
図８は、表示処理部３６（及びディスプレイ１４）によるオプション要否情報１１２の他の表示例を示す。図８に示すように、表示処理部３６（及びディスプレイ１４）は、パートデータ１０４の設定画面６０において、オプション要否情報１１２を表示してもよい。この場合、オプション要否情報１１２は、オプション機能毎に表示されたタブ８２の形態（例えばサイズ、形状、色彩、動作の少なくとも一つ）を、そのオプション機能の要否に応じて変更するとよい。
【００４５】
以上、本発明の具体例を詳細に説明したが、これらは例示にすぎず、請求の範囲を限定するものではない。請求の範囲に記載の技術には、以上に例示した具体例を様々に変形、変更したものが含まれる。
【００４６】
例えば、本実施例のシステムでは、データ管理装置１０が、オプション要否情報１１２を可視的に表示する装置として機能を有する。しかしながら、本技術の他の実施形態では、電子部品装着機２００が、オプション要否情報１１２を可視的に表示する装置としての機能を有してもよい。あるいは、オプション要否情報１１２を可視的に表示する装置は、スマートフォンやタブレットといった携帯型の電子計算機であってもよい。
【００４７】
あるいは、本実施例のシステムでは、オプション要否情報１１２がパートデータ１０４に記述されている。しかしながら、本技術の他の実施形態では、オプション要否情報１１２が、生産プログラム１０２やジョブデータといった、電子部品装着機２００が用いる他のデータに記述されていてもよい。ここで、ジョブデータとは、少なくとも生産品目と生産数量を記述するデータであり、典型的には生産ロット毎に用意されるデータである。
【００４８】
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４９】
１０：データ管理装置
１２：電子計算機
１４：ディスプレイ
３０：データ処理部
３２：編集処理部
３４：抽出処理部
３６：表示処理部
５０：表示画面
５４、５６、７４、７６：アイコン
６０：設定画面
１００：データサーバ
１０２：生産プログラム
１０４：パートデータ
１１２：オプション要否情報
２００：電子部品装着機
３００：電気通信回線
【図１】
0006535048.tif 000002
【図２】
0006535048.tif 000003
【図３】
0006535048.tif 000004
【図４】
0006535048.tif 000005
【図５】
0006535048.tif 000006
【図６】
0006535048.tif 000007
【図７】
0006535048.tif 000008
【図８】
0006535048.tif 000009